(57)【要約】【課題】構造が簡単で小型化に適した押圧スイッチ付き回転式電子部品を提供する。【解決手段】固定側部材１０に対して回転側部材５０を回転自在に軸支するとともに、固定側部材１０と回転側部材５０の間に回転側部材５０を回転することでその電気的出力を変化する電気的機能部を設置する。回転側部材５０の外周に押圧部５８，５８を設けると共に、これら押圧部５８，５８に対向する位置にスイッチ押圧部８３を設置し、さらにスイッチ押圧部８３によって押圧される位置にスイッチ９２を設置し、回転側部材５０を回転することで電気的機能部によってその電気的出力を変化すると共に、押圧部５８によって押圧されたスイッチ押圧部８３がスイッチ９２をオンする。【選択図】      図２
2004178987.tif 000002
【特許請求の範囲】
【請求項１】
固定側部材に対して回転側部材を回転自在に軸支するとともに、固定側部材と回転側部材の間に回転側部材を回転することでその電気的出力を変化する電気的機能部を設置してなる回転式電子部品において、
回転側部材の外周に押圧部を設けると共に、この押圧部に対向する位置にスイッチ押圧部を設置し、さらにスイッチ押圧部によって押圧される位置にスイッチを設置し、
回転側部材を回転することで前記電気的機能部によってその電気的出力を変化すると共に、前記押圧部が押圧したスイッチ押圧部によってスイッチを作動することを特徴とする押圧スイッチ付き回転式電子部品。
【請求項２】
前記スイッチ押圧部は前記回転側部材の押圧部に押圧される第一押圧部と、前記スイッチを押圧する第二押圧部とを具備し、
さらにこのスイッチ押圧部の両側からアーム部を突出してその途中に屈曲部を介してその先端に一対の固定部を設けてこれら固定部を固定側部材に固定することによって前記スイッチ押圧部を支持するか、或いはこのスイッチ押圧部の片側からアーム部を突出してその先端に固定部を設けてこの固定部を固定側部材に固定することによって前記スイッチ押圧部を支持することを特徴とする請求項１に記載の押圧スイッチ付き回転式電子部品。
【請求項３】
前記回転側部材の押圧部を一対設けると共に、これら一対の押圧部の間に前記スイッチ押圧部を設置し、回転側部材を左右に回転した際の回転範囲の両端にて前記何れかの押圧部が前記スイッチ押圧部を押圧することを特徴とする請求項１に記載の押圧スイッチ付き回転式電子部品。
【発明の詳細な説明】
【０００１】
【発明の属する技術分野】
本発明は、回転側部材を回転することで電気的出力を変化すると共に、さらにこの回転側部材を回転することで押圧型のスイッチが作動する構造の押圧スイッチ付き回転式電子部品に関するものである。
【０００２】
【従来の技術】
従来、回転側部材を回転させることで抵抗値などの電気的出力を変化させる回転式電子部品がある（例えば、特許文献１参照）。そして近年この種の回転式電子部品に、さらに押圧型のスイッチ機能を付加した構造の押圧スイッチ付き回転式電子部品が望まれていた。
【０００３】
【特許文献１】
特開２００２−１９８２０９号公報
【０００４】
【発明が解決しようとする課題】
本発明は上述の点に鑑みてなされたものでありその目的は、構造が簡単で小型化に適した押圧スイッチ付き回転式電子部品を提供することにある。
【０００５】
【課題を解決するための手段】
上記問題点を解決するため本発明は、固定側部材に対して回転側部材を回転自在に軸支するとともに、固定側部材と回転側部材の間に回転側部材を回転することでその電気的出力を変化する電気的機能部を設置してなる回転式電子部品において、回転側部材の外周に押圧部を設けると共に、この押圧部に対向する位置にスイッチ押圧部を設置し、さらにスイッチ押圧部によって押圧される位置にスイッチを設置し、回転側部材を回転することで前記電気的機能部によってその電気的出力を変化すると共に、前記押圧部が押圧したスイッチ押圧部によってスイッチを作動することを特徴とする。
【０００６】
また本発明は、前記スイッチ押圧部が前記回転側部材の押圧部に押圧される第一押圧部と、前記スイッチを押圧する第二押圧部とを具備し、さらにこのスイッチ押圧部の両側からアーム部を突出してその途中に屈曲部を介してその先端に一対の固定部を設けてこれら固定部を固定側部材に固定することによって前記スイッチ押圧部を支持するか、或いはこのスイッチ押圧部の片側からアーム部を突出してその先端に固定部を設けてこの固定部を固定側部材に固定することによって前記スイッチ押圧部を支持することを特徴とする。
【０００７】
また本発明は、前記回転側部材の押圧部を一対設けると共に、これら一対の押圧部の間に前記スイッチ押圧部を設置し、回転側部材を左右に回転した際の回転範囲の両端にて前記何れかの押圧部が前記スイッチ押圧部を押圧することを特徴とする。
【０００８】
【発明の実施の形態】
以下、本発明の実施の形態を図面を参照して詳細に説明する。
図１は本発明の一実施形態にかかる押圧スイッチ付き回転式電子部品１の分解斜視図である。同図に示すようにこの押圧スイッチ付き回転式電子部品１は、固定側部材１０に対して回転側部材５０を回転自在に軸支し、固定側部材１０の下面にスイッチ作動部材８０とスイッチ基板９０と取付台１００とを取り付けて構成されている。以下各構成部品について説明する。
【０００９】
固定側部材１０は薄板金属板製の図示しない補強板上にフレキシブル基板１６を載置したものの周囲に合成樹脂製の枠部材２５を成形して構成されている。補強板の中央部分からは筒状の軸支部１３が突出しており、この軸支部１３はフレキシブル基板１６の中央に設けた貫通孔を通してその表面側に突出している。フレキシブル基板１６はその表面に円弧状の摺接パターン１８を設けるとともに、その下部から帯状の引出部１９を外部に引き出している。引出部１９には摺接パターン１８から引き出される引出パターン（図示せず）が形成されている。摺接パターン１８は抵抗体パターンであるが、スイッチパターン等の他の機能パターンであっても良い。枠部材２５はフレキシブル基板１６の摺接パターン１８の部分を露出した状態でその周囲を囲むように成形されており、その上部中央にはストッパー用の係止部２７が設けられ、またその下部両側には前方（回転側部材５０側）に向かって突出する基部２９，２９が設けられている。両基部２９，２９の上面には外方向に向かって下降するように傾斜する面状の係止部３１，３１が形成されている。また基部２９，２９の下面からは二本ずつ固定用突起３３，３３が突出している。
【００１０】
回転側部材５０は、円板の外周に筒状の側壁５７を形成することでその両面に凹状の弾発手段収納部５５と摺動子収納部５３とを形成してなる成形樹脂製の回転部材５１と、弾発手段収納部５５内に収納されてその上を押え部材７９で塞がれる弾発手段（以下この実施形態では「ねじりコイルバネ」という）７３と、摺動子収納部５３に収納固定される図示しない摺動子とを具備して構成されている。
【００１１】
回転部材５１の弾発手段収納部５５側の側壁５７には一対の切り欠き状の引出部突出部５９，５９が設けられ、またその中央に前記固定側部材１０の軸支部１３を回動自在に挿入する軸受部６３が設けられ、またその上面からはつまみ取付部６５が突出している。引出部突出部５９，５９の下側の面は当接部６０，６０となっている。さらに側壁５７の外周下部には、一対の突出する押圧部５８，５８（図２参照）が設けられている。
【００１２】
ねじりコイルバネ７３は線材をコイル状に巻き回したコイル部７５の両端から引出部７７，７７を引き出して構成されている。コイル部７５の外径は、弾発手段収納部５５の内径よりも少し小さい寸法に形成され、これによって弾発手段収納部５５の内周面部分でコイル部７５の外周が支持されるように構成している。弾発手段収納部５５内に収納されたねじりコイルバネ７３の引出部７７，７７は、回転部材５１の引出部突出部５９，５９から突出し、当接部６０，６０に弾接されている。
【００１３】
押え部材７９はリング状の金属板であって前記弾発手段収納部５５を塞ぐ外形形状に構成され、その上下に設けた溝状の固定部係止部８１，８１に前記回転部材５１の上下部分に設けた突起からなる固定部６１，６１を挿入してその先端を熱カシメすることで、回転部材５１に固定されている。
【００１４】
スイッチ作動部材８０は合成樹脂材からなり、薄板帯状のアーム部８１，８１の中央にスイッチ押圧部８３を設けると共に、アーム部８１，８１の両端に固定部８７，８７を設けて構成されている。アーム部８１，８１の固定部８７，８７の付け根近傍部分には、アーム部８１，８１に弾性を持たせるための屈曲部８２，８２が設けられている。スイッチ押圧部８３は、その上面でアーム部８１を幅方向に横切って棒状に突出する第一押圧部８４と、アーム部８１の一側辺から幅方向に所定寸法突出させた突出部８５の下面から突出する第二押圧部８６とを具備して構成されている。ここで前記回転側部材５０の押圧部５８，５８が第一押圧部８４を押圧する位置Ｄと、第二押圧部８６が下記するスイッチ９２を押圧する位置Ｅとは幅方向（回転側部材５０の回転軸方向）に所定寸法ずれるように構成されている。なお固定部８７，８７にはそれぞれ前記固定側部材１０の固定用突起３３，３３を挿入する挿入孔８９，８９が設けられている。
【００１５】
スイッチ基板９０は、フレキシブル基板９１上に接点パターン９３を形成し、その上を覆うようにドーム形状の弾性導電板からなる可動接点板９５を載置して構成されている（図示されていないが実際は可動接点板９５に常時導通する接点パターン９３もフレキシブル基板９１上に形成されている）。このスイッチ基板９０の場合は接点パターン９３と可動接点板９５によって一つのスイッチ９２を構成しているが、二枚のフレキシブル基板９１上に設けた接点パターン９３を所定の間隙を持って対向させることによってスイッチを構成し、その上にクリック板を取り付けて構成しても良い。またクリック板を省略して前記二枚のフレキシブル基板９１だけでスイッチを構成しても良い。また可動接点板９５の代わりに他の導電部材である例えばラバー接点部材を用いても良い。スイッチ基板９０は取付台１００上に載置され、取付台１００から突出する固定部１０１をスイッチ基板９０に設けた小穴を通してその上面側で熱カシメされることで固定される。スイッチ基板９０と取付台１００にはそれぞれ前記固定側部材１０の固定用突起３３，３３を挿入する挿入孔９７，１０３が設けられている。なおフレキシブル基板９１の代わりに硬質基板を用いた場合は、取付台１００は必ずしも必要ない。
【００１６】
そしてこの押圧スイッチ付き回転式電子部品１を組み立てるには、固定側部材１０の軸支部１３を回転側部材５０の軸受部６３に挿入してその先端をカシメることで、固定側部材１０の前面側に回転側部材５０を回動自在に軸支する。その際ねじりコイルバネ７３の引出部７７，７７をそれぞれ係止部３１，３１に弾接させる。このとき回転側部材５０に取り付けた摺動子はフレキシブル基板１６の摺接パターン１８上に当接しており、電気的機能部を構成している。次に前記固定側部材１０の下側にスイッチ作動部材８０とスイッチ基板９０及び取付台１００を設置し、その際固定側部材１０の固定用突起３３を、スイッチ作動部材８０の挿入孔８９と、スイッチ基板９０及び取付台１００の挿入孔９７，１０３とに挿入し、その先端を取付台１００の下面で熱カシメし、これによってこれら各部材を一体に固定する。
【００１７】
図２は以上のようにして組み立てられた押圧スイッチ付き回転式電子部品１の概略正面図（但し押え部材７９の記載は省略している）である。同図に示すようにねじりコイルバネ７３の引出部７７，７７は回転側部材５０の当接部６０，６０と固定側部材１０の係止部３１，３１とに同時に弾接しており、これによって回転側部材５０は中立位置に保持されている。またスイッチ作動部材８０の第一押圧部８４は回転側部材５０の一対の押圧部５８，５８の中央に位置し、また第二押圧部８６の下面は可動接点板９５の上面中央に当接している。またつまみ取付部６５にはつまみ２１０が取り付けられている。
【００１８】
そして例えばつまみ２１０の突出部２１１を矢印Ａ方向に回転すれば、回転側部材５０全体が矢印Ａ方向に回転し、図示しない摺動子がフレキシブル基板１６の摺接パターン１８，１８上を摺動してその電気的出力を変化する。その際ねじりコイルバネ７３の左側の引出部７７は元の位置に保持されたまま右側の引出部７７が当接部６０によって押し上げられてねじられる（図３参照）。なお回転側部材５０の回転範囲は、前記固定側部材１０に設けた係止部２７が、回転側部材５０の固定側部材１０に対向する面側に設けた図示しない凹部内を移動する範囲に限定される。この回転範囲規制構造は種々の変形が可能であることは言うまでもない。
【００１９】
そして回転側部材５０の一方の押圧部５８が回転移動を伴ってスイッチ作動部材８０の第一押圧部８４に当接した後、さらに回転側部材５０を矢印Ａ方向に回転すれば、図３に示すように押圧部５８が第一押圧部８４を下方向に押し下げてスイッチ押圧部８３を下降させ、第二押圧部８６が可動接点板９５を押圧してこれを反転してスイッチ９２をオンする。このとき固定側部材１０と回転側部材５０間の回転範囲規制構造によって、これ以上回転側部材５０は回転しない。このことは回転側部材５０を逆方向に回転しても同様である。つまり回転側部材５０を左右何れに回転しても、回転しているときは回転に伴う電気的出力が変化し、回転が終了した両側端部においてはそれぞれ押圧スイッチがオンするように構成されている。このように構成すれば、１つのスイッチ９２を利用して回転側部材５０の左右両回転端で動作するスイッチを兼用できる。
【００２０】
なおこのときアーム部８１，８１には屈曲部８２，８２が設けられているので、屈曲部８２，８２が変形することで容易にスイッチ押圧部８３が下降する。またこの実施形態においては、押圧部５８によって第一押圧部８４が押圧される位置Ｄ（図２参照）に対して第二押圧部８６がスイッチ９２を押圧する位置Ｅ（図２参照）がずれているが、押圧部５８によって第一押圧部８４が押圧される位置Ｄ（図２参照）の真下側に第二押圧部８６がスイッチ９２を押圧する位置Ｅ（図２参照）を設置しても良い。
【００２１】
そして突出部２１１への矢印Ａ方向への押圧を解除すると、ねじりコイルバネ７３の弾発復帰力によって回転側部材５０は図２に示す元の中立位置に自動復帰し、スイッチ９２もオフとなる。
【００２２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば回転式電子部品は上記構造の回転式電子部品に限定されるものではなく、要は固定側部材と回転側部材の間に回転側部材を回転することでその電気的出力を変化する電気的機能部を設置してなる回転式電子部品であればどのような構造の回転式電子部品にも適用できる。また上記実施形態では回転部材５１の側壁５７の外周に突起状の押圧部５８を設けたが、押圧部は例えば回転部材５１の側壁５７の外周に凹部を設けてこの凹部内に前記スイッチ押圧部８３の第一押圧部８４を設置し、凹部の両端の部分を押圧部としての第一押圧部８４を押圧するように構成しても良い。また上記実施形態ではスイッチ押圧部８３の両側にアーム部８１，８１と屈曲部８２，８２と固定部８７，８７とを設けたが、スイッチ押圧部８３の一方側のみにアーム部８１と固定部８７とを設けてスイッチ押圧部８３を支持する片持ちバネ構造としても良い。片側のみにアーム部８１を設ける場合は、スイッチ押圧部８３の回転は容易なので屈曲部８２はなくてもよい。
【００２３】
【発明の効果】
以上詳細に説明したように本発明によれば以下のような優れた効果を有する。
▲１▼回転側部材の外周に設けた押圧部によって、この押圧部に対向する位置に設けたスイッチ押圧部を押圧してスイッチをオンオフするように構成したので、回転側部材を所定角度まで回転することでその電気的出力を変化していった後にさらに回転側部材を同一方向に回転することで押圧スイッチが作動する構造の押圧スイッチ付きの回転式電子部品を、簡単な構造で構成でき、小型化が図れる。
【００２４】
▲２▼スイッチ押圧部の両側からアーム部を突出してその途中に屈曲部を介してその先端に一対の固定部を設けてこれら固定部を固定側部材に固定することによって前記スイッチ押圧部を支持するか、或いはこのスイッチ押圧部の片側からアーム部を突出してその先端に固定部を設けてこの固定部を固定側部材に固定することによって前記スイッチ押圧部を支持したので、スイッチ押圧部の支持が確実に行なえ、またスイッチ押圧部の上下動も容易に行なえる。
【００２５】
▲３▼回転側部材の押圧部を一対設けると共に、これら一対の押圧部の間にスイッチ押圧部を設置し、回転側部材を左右に回転した際の回転範囲の両端にて前記何れかの押圧部が前記スイッチ押圧部を押圧するように構成したので、一つのスイッチを利用して回転側部材の左右両回転端で動作するスイッチを兼用できる。
【図面の簡単な説明】
【図１】本発明の一実施形態にかかる押圧スイッチ付き回転式電子部品１の分解斜視図である。
【図２】押圧スイッチ付き回転式電子部品１の概略正面図（押え部材７９の記載は省略）である。
【図３】押圧スイッチ付き回転式電子部品１の動作説明図である。
【符号の説明】
１  押圧スイッチ付き回転式電子部品
１０  固定側部材
１６  フレキシブル基板（電気的機能部）
１８  摺接パターン（電気的機能部）
５０  回転側部材
５１  回転部材
５５  弾発手段収納部
５３  摺動子収納部
５８  押圧部
７３  弾発手段（ねじりコイルバネ）
７９  押え部材
８０  スイッチ作動部材
８１  アーム部
８２  屈曲部
８３  スイッチ押圧部
８４  第一押圧部
８５  突出部
８６  第二押圧部
８７  固定部
９０  スイッチ基板
９２  スイッチ
９３  接点パターン
９５  可動接点板
１００  取付台
【図１】
2004178987.tif 000003
【図２】
2004178987.tif 000004
【図３】
2004178987.tif 000005